(57)【特許請求の範囲】
【請求項１】
建物躯体に固定される固定本体部材と、その表面を化粧する化粧表面部材とを備えた化粧枠構造であって、
前記固定本体部材は、建物躯体に当接する当接位置固定本体部と、それに隣接して一体に形成されていると共に、建物躯体側に向かって突出して、その突出長さを選択可能な当接位置選択機能部とを備え、
当接位置選択機能部は、固定本体部材から建物躯体側に向かって突出する短尺当接片と、
固定本体部材から建物躯体側に向かって突出するとともに、その突出長さを選択可能な突出長選択機能片とを備え、
この突出長選択機能片は、その先端が前記短尺当接片よりも建物躯体側に位置する状態と、その先端が短尺当接片よりも反建物躯体側に位置する状態とのいずれかを選択可能に形成されていることを特徴とする化粧枠構造。
【請求項２】
突出長選択機能片は、当接位置固定本体部と面一の位置に先端面を有し、
その突出長選択機能片の基端側には、突出長選択機能片を折り取り可能な折り取り溝が形成されていることを特徴とする請求項１記載の化粧枠構造。
【請求項３】
突出長選択機能片と短尺当接片との間には、その間隔が締結部材の直径よりも僅かに小さく設定されているとともに、締結部材を案内可能な締結部材案内部が形成されていることを特徴とする請求項１または請求項２記載の化粧枠構造。
【請求項４】
突出長選択機能片は、固定本体部材から建物躯体側に向かって延びる延設部と、
この延設部の先端から常時は横方向に延びて短尺当接片よりも反建物躯体側に位置する回転当接部とを備え、
この回転当接部は、その先端側を固定本体部材からねじ込まれた締結部材に押し込まれることにより、延設部の先端を回転中心として回転するとともに、短尺当接片よりも建物躯体側に突出可能に形成されていることを特徴とする請求項１記載の化粧枠構造。
【請求項５】
回転当接部は、その延設部側の角部に位置し、回転した状態において、短尺当接片の側面に当接する短尺側当接部と、
回転当接部の自由端側に位置し、回転した状態において、建物躯体に当接する建物躯体側当接部とを備えたことを特徴とすることを特徴とする請求項４記載の化粧枠構造。
【発明の詳細な説明】
【０００１】
【発明の属する技術分野】
この発明は、建物躯体の室内側の表面を化粧する化粧枠を備えた化粧枠構造に関するものである。
【０００２】
【先行技術】
図９及び図１０は、従来の化粧枠構造であって、図９は窓枠上部にパッキン調整材を二つ重ねて使用した状態の化粧枠構造の縦断面図、図１０は窓枠上部にパッキン調整材を一つ使用した状態の化粧枠構造の縦断面図を示すものである。
従来の化粧枠構造の取付位置には、その建物躯体の表面がフラットに形成されている場合と、その構造により建物躯体の表面に段差が生じている場合とがあった。このように取付位置の建物躯体の形状が異なる際、それぞれ別個に、取付位置の形状に整合する化粧枠をそれぞれ形成したり、あるいは、図９及び図１０に示すように、同一の共通部材を使用して、それらの間に厚みの異なる寸法調整用のパッキン調整材160を挟み込んだりすることにより、建物躯体の取付位置の違いを調整していた。
【０００３】
具体的には、図９及び図１０に示すように、建物躯体115に開口する開口部114が形成され、外側に向かって突出する距離が短いタイプの出窓が形成されている。そして、この出窓の開口部114の周囲には、窓枠110が形成されている。この窓枠110の室内111側には、化粧枠120が形成され、窓枠110の室外112側には、前記化粧枠120に連結されるアルミサッシ枠113が形成されている。なお、このアルミサッシ枠113は、特に図示していないが、開口部114をスライドした開閉可能なガラス窓を保持するものである。
【０００４】
前記化粧枠120は、建物躯体115に固定ねじ170を介して固定される固定本体部材130と、この固定本体部材130にはめ込まれる化粧表面部材140と、この化粧表面部材140の室内111側の端部を覆う室内側キャップ150とを備えている。そして、固定本体部材130は、その室内111側に位置して建物躯体115の開口部114の表面に当接する当接位置固定本体部131を備えている。
【０００５】
そして、図９に示すように、化粧枠120の建物躯体115側の取付位置が、建物躯体115の開口部114の表面であって室内111側から室外112側に向かってフラットな状態の場合は、化粧枠120の固定本体部材130の室外112側の上面と建物躯体115との間に二枚のパッキン調整材160が挟み込まれている。そして、このパッキン調整材160の建物躯体115側の面は、当接位置固定本体部131が建物躯体115と当接する面と略面一になるように設定されている。これにより、化粧枠120と建物躯体115との間に隙間を無くし、両者の固定を確実なものにしている。
【０００６】
一方、図１０に示すように、化粧枠120の建物躯体115側の取付位置が、建物躯体115の開口部114及びアルミサッシ枠113の一部であって、室内111側から室外112側に向かってアルミサッシ枠113の一部により段差が形成されているような状態の場合は、化粧枠120の固定本体部材130の室外112側の上面と建物躯体115との間に一枚のパッキン調整材160を挟み込んでいる。これにより、かかる段差の厚みをパッキン調整材160の厚みの変化により調整し、取付位置の形状が異なっても共通の化粧枠120を使用することができるように形成されている。
【０００７】
【発明が解決しようとする課題】
しかし、上記した従来の化粧枠構造は、隙間調整用のパッキン調整材160を必要とし、部品点数が多くなるという第一の問題点があった。
さらに、必要な厚みのパッキン調整材160を挟み込んで接着剤等で固定しなければならず、施工に手間がかかるという第二の問題点があった。
【０００８】
そこで、請求項１記載の発明は、上記した従来の技術の有する第一および第二の問題点に鑑みてなされたものであり、その目的とするところは、部品点数の低減を図り、容易に施工することができる化粧枠構造を提供しようとするものである。
これに加え、請求項２記載の発明は、請求項１記載の発明を具体的に特定したもので、折り取り可能な突出長選択機能片を備えたことにより、簡単な構造で共通の部材を使用して、形状が異なる取付位置にも対応することができる化粧枠構造を提供しようとするものである。
【０００９】
これに加え、請求項３記載の発明は、締結部材をねじ込んで案内することができ、固定作業の容易化及び固定の確実化を図ることができる化粧枠構造を提供しようとするものである。
請求項４記載の発明は、請求項１記載の発明を具体的に特定したもので、回転当接部を有する突出長選択機能片を備えたことにより、簡単な構造で共通の部材を使用して、形状が異なる取付位置にも対応することができる化粧枠構造を提供しようとするものである。
【００１０】
これに加え、請求項５記載の発明は、回転当接部を回転させた状態で、固定することができ、その突出長さを所定の距離に固定することができる化粧枠構造を提供しようとするものである。
【００１１】
【課題を解決するための手段】
本発明は、上記した目的を達成するためのものである。
請求項１記載の発明は、建物躯体(15)に固定される固定本体部材(30)と、その表面を化粧する化粧表面部材(40)とを備えた化粧枠構造であって、前記固定本体部材(30)は、建物躯体(15)に当接する当接位置固定本体部(50)と、それに隣接して一体に形成されていると共に、建物躯体(15)側に向かって突出して、その突出長さを選択可能な当接位置選択機能部(60)とを備え、当接位置選択機能部(60)は、固定本体部材(30)から建物躯体(15)側に向かって突出する短尺当接片(61)と、固定本体部材(30)から建物躯体(15)側に向かって突出するとともに、その突出長さを選択可能な突出長選択機能片(62)とを備え、この突出長選択機能片(62)は、その先端が前記短尺当接片(61)よりも建物躯体(15)側に位置する状態と、その先端が短尺当接片(61)よりも反建物躯体(15)側に位置する状態とのいずれかを選択可能に形成されていることを特徴とする。
【００１２】
なお、ここで、「突出長さを選択可能な突出長選択機能片(62)」とは、その一部を切断し、折り取り、変形させ、或いは回転させる等により、突出長さを簡単に変更することができるようなものであれば良いものである。例えば、基端側に折り取り溝(64)を有して簡単に折り取ることができる長尺状の長尺当接片(63)や、その一部に回転可能な回転当接部(72)を有し、回転することにより、突出長さを変更することができるようなものを含むものである。
【００１３】
本発明によれば、突出長選択機能片(62)は、その先端が短尺当接片(61)よりも建物躯体(15)側に位置する状態と、その先端が短尺当接片(61)よりも反建物躯体(15)に位置する状態とのいずれかを選択可能に形成されている。このため、突出長選択機能片(62)の先端が短尺当接片(61)よりも建物躯体(15)側に位置する場合、当接位置選択機能部(60)において、突出長選択機能片(62)が建物躯体(15)の表面に当接する。また、突出長選択機能片(62)の先端が短尺当接片(61)よりも反建物躯体(15)側に位置する場合、当接位置選択機能部(60)において、短尺当接片(61)が建物躯体(15)の表面に当接する。すなわち、当接位置選択機能部(60)側において、固定本体部材(30)から建物躯体(15)側へ突出する突出長選択機能片(62)の突出長さを二段階に選択することができる。これにより、当接位置固定本体部(50)が取り付けられる建物躯体(15)に対して、当接位置選択機能部(60)が取り付けられる建物躯体(15)の形状が異なり、その相対的な位置関係が異なっていても、一つの共通の化粧枠(20)により対応することができる。具体的には、例えば、当接位置固定本体部(50)に面する建物躯体(15)と当接位置選択機能部(60)に面する建物躯体(15)とが面一のフラットな位置にある場合と、両者に段差が生じているような場合との形状が異なって相対的な位置関係が異なる二種類の建物躯体(15)に対して一つの共通の化粧枠(20)で対応することができる。或いは、当接位置固定本体部(50)に面する建物躯体(15)と、当接位置選択機能部(60)に面する建物躯体(15)とが段差を形成しているが、その段差の程度が異なって相対的な位置関係が異なる二つの種類の建物躯体(15)に対して一つの共通の化粧枠(20)で対応することができる。このように、一つの化粧枠(20)のみで形状が異なる取付位置にも対応することができるため、建物躯体(15)との間に隙間調整用のパッキン調整材等を使用する必要がなく、部品点数を少なくすることができる。また、パッキン調整材等の別部材を接着剤等で固定する必要も無いため、現場施工を容易にすることができる。
【００１４】
また、一つの共通の化粧枠(20)を使用して形状が異なる取付位置に対応することができるため、形状が異なる取付位置に整合する形状の化粧枠(20)を形成するような場合と比較して、化粧枠(20)の共通化及び化粧枠(20)の種類の低減を図ることができる。
請求項２記載の発明は、上記した請求項１記載の特徴点に加え、突出長選択機能片(62)は、当接位置固定本体部(50)と面一の位置に先端面を有し、その突出長選択機能片(62)の基端側には、突出長選択機能片(62)を折り取り可能な折り取り溝(64)が形成されていることを特徴とする。
【００１５】
本発明によれば、突出長選択機能片(62)は、当接位置固定本体部(50)と面一の位置に先端面を有している。このため、突出長選択機能片(62)は、そのままの状態で、当接位置固定本体部(50)に面する建物躯体(15)と、当接位置選択機能部(60)に面する建物躯体(15)とがフラットな平面状態にあるような場合に、当接位置固定本体部(50)と共に、フラットな建物躯体(15)に当接することができ、かかる建物躯体(15)に取り付けることができる。
【００１６】
そして、突出長選択機能片(62)の基端側には、突出長選択機能片(62)を折り取り可能な折り取り溝(64)が形成されている。このため、突出長選択機能片(62)を基端側の折り取り溝(64)から折り取ることができる。この突出長選択機能片(62)を折り取ることにより、突出長選択機能片(62)の先端が短尺当接片(61)よりも反建物躯体(15)側に位置する状態となる。したがって、当接位置選択機能部(60)に面する建物躯体(15)において、建物躯体(15)の表面と当接するのは、最も建物躯体(15)に側に向かって突出している短尺当接片(61)となる。このように、当接位置選択機能部(60)の建物躯体(15)に当接する箇所を突出長選択機能片(62)と短尺当接片(61)とのいずれかに選択することができ、当接位置選択機能部(60)側の固定本体部材(30)からの建物躯体(15)側への突出する突出長さを二段階に選択することができる。これにより、建物躯体(15)の表面が面一のフラットな形状をしている場合と、建物躯体(15)の表面が段差を形成している場合との二つの種類の建物躯体(15)に対して一つの共通の化粧枠(20)で対応することができる。これにより、化粧枠(20)の共通化及び化粧枠(20)の種類の低減を図ることができる。
【００１７】
請求項３記載の発明は、上記した請求項１または請求項２記載の特徴点に加え、突出長選択機能片(62)と短尺当接片(61)との間には、その間隔が締結部材の直径よりも僅かに小さく設定されているとともに、締結部材を案内可能な締結部材案内部(65)が形成されていることを特徴とする。
本発明によれば、突出長選択機能片(62)と短尺当接片(61)との間には、その間隔が締結部材の直径よりも僅かに小さく設定されているとともに、締結部材を案内する締結部材案内部(65)が形成されている。このため、締結部材案内部(65)に締結部材をねじ込むと、締結部材案内部(65)の左右の突出長選択機能片(62)及び短尺当接片(61)の間に挟まれて締結部材が曲がることなく、締結部材案内部(65)の内部に沿って締結部材をねじ込ませて進ませることができ、締結作業を容易にすることができる。また、締結部材案内部(65)の間隔が締結部材の直径より僅かに小さいため、締結部材は、左右の突出長選択機能片(62)及び短尺当接片(61)の表面の一部をねじ切りながら進むこととなる。これにより、締結作業において、締結部材をぶれることなく、確実にねじ込むことができるとともに、ねじ込んだ後も、突出長選択機能片(62)及び短尺当接片(61)に強固に挟み込まれて、締結部材を確実かつ強固に固定することができ、締結部材による固定の確実化を図ることができる。
【００１８】
請求項４記載の発明は、上記した請求項１記載の特徴点に加え、突出長選択機能片(62)は、固定本体部材(30)から建物躯体(15)側に向かって延びる延設部(71)と、この延設部(71)の先端から常時は横方向に延びて短尺当接片(61)よりも反建物躯体(15)側に位置する回転当接部(72)とを備え、この回転当接部(72)は、その先端側を固定本体部材(30)からねじ込まれた締結部材に押し込まれることにより、延設部(71)の先端を回転中心として回転するとともに、短尺当接片(61)よりも建物躯体(15)側に突出可能に形成されていることを特徴とする。
【００１９】
本発明は、突出長選択機能片(62)が、延設部(71)と回転当接部(72)とを備えている。そして、この回転当接部(72)が常時は、横方向に延びて短尺当接片(61)よりも反建物躯体(15)側に位置するが、締結部材に押し込まれて回転することにより短尺当接片(61)よりも建物躯体(15)側に突出可能に形成されている。このため、回転当接部(72)を回転させずに、横方向に延びた状態を維持すると、回転当接部(72)は短尺当接片(61)よりも反建物躯体側に位置する。これにより、化粧枠(20)を建物躯体(15)に取り付ける際、当接位置選択機能部(60)において、回転当接部(72)は建物躯体(15)に当接せずに、短尺当接片(61)が建物躯体(15)に当接することとなる。
【００２０】
一方、固定本体部材(30)側から締結部材をねじ込んで、回転当接部(72)の先端側を建物躯体(15)側に向かって押し込むと、回転当接部(72)は延設部(71)の先端を回転中心として、回転するとともに、短尺当接片(61)よりも建物躯体(15)側に突出する。このため、化粧枠(20)を建物躯体(15)に取り付ける際、当接位置選択機能部(60)において、回転当接部(72)が建物躯体(15)に当接することとなる。
【００２１】
すなわち、回転当接部(72)の回転の有無により、当接位置選択機能部(60)の固定本体部材(30)からの建物躯体(15)側への突出する長さを二段階に選択することができる。これにより、一つの共通の化粧枠(20)を使用して、当接位置固定本体部(50)が取り付けられる建物躯体(15)に対して、当接位置選択機能部(60)が取り付けられる建物躯体(15)の相対的な位置関係が異なる二種類の形状を有する建物躯体(15)に取り付けることができる。したがって、それぞれ専用の形状の化粧枠(20)を形成するような場合と比較して、化粧枠(20)の共通化及び化粧枠(20)の種類の低減を図ることができる。
【００２２】
請求項５記載の発明は、上記した請求項４記載の特徴点に加え、回転当接部(72)は、その延設部(71)側の角部に位置し、回転した状態において、短尺当接片(61)の側面に当接する短尺側当接部(73)と、回転当接部(72)の自由端側に位置し、回転した状態において、建物躯体(15)に当接する建物躯体側当接部(74)とを備えたことを特徴とする。
【００２３】
本発明によれば、回転当接部(72)が、延設部(71)を回転中心として、締結部材に押し込まれて回転すると、所定の回転角度において、短尺側当接部(73)が短尺当接片(61)の側面に当接する。そして、さらに、回転当接部(72)が回転しようとしても、短尺側当接部(73)が短尺当接片(61)に当たってそれ以上、回転することはない。これにより、かかる回転位置において回転当接部(72)が所定の角度だけ回転した状態を維持することができる。この状態において、回転当接部(72)の自由端側の建物躯体側当接部(74)の位置も固定されて、突出長さを所定の距離に固定することができる。
【００２４】
【発明の実施の形態】
以下、本発明の実施の形態を図面に基づいて、更に詳しく説明する。
図１乃至図４は、本発明に係る第一の実施の形態であって、図１は回転機能片を回転させていない状態の化粧枠構造の縦断面図、図２は回転機能片を回転させていない状態の化粧枠構造の部分縦断面図、図３は回転機能片を回転させた状態の化粧枠構造の縦断面図、図４は回転機能片を回転させた状態の化粧枠構造の部分縦断面図をそれぞれ示すものである。
【００２５】
まず、本実施の形態の構成について説明する。
本実施の形態に係る化粧枠20の取付位置には、図１及び図２に示すように、その建物躯体15側の表面がフラットに形成されている場合と、図３及び図４に示すように、その構造により建物躯体15側の表面に段差が生じている場合とがある。具体的には、いずれの場合も、建物躯体15に開口する開口部14が形成され、建物躯体15の外部に向かって突出する突出長が短いタイプの出窓が形成されている。そして、この出窓の開口部14の周囲には、窓枠10が形成されている。そして、この窓枠10の上部の室内11側には、化粧枠20が形成され、窓枠10の上部の室外12側には、前記化粧枠20に連結されるアルミサッシ枠13が形成されている。このアルミサッシ枠13は、出窓の開口部14をスライドして開閉可能なガラス窓の周辺を保持するためのものである。なお、窓枠10の側面及び下面にも、特に図示していないが、本実施の形態に係る化粧枠20と略同様の形状のものが固定されているものである。
【００２６】
そして、建物躯体15は、その外壁となる木質の壁パネル16と、この壁パネル16の下端に配置された木質の室内側調整材17とを備えている。さらに、図３及び図４の場合には、壁パネル16の下端の室外側に木質の室外側調整材18が形成されている。そして、壁パネル16の室内側には、その室内側表面を化粧する化粧壁面部材19が形成されている。また、図１及び図２と、図３及び図４とでは、形状が異なるアルミサッシ枠13が、窓枠10の室外側に形成されている。なお、壁パネル16は、特に図示しないが、四角枠状の枠材及びその枠内を塞ぐ面材から形成されているものである。
【００２７】
前記化粧枠20は、建物躯体15の開口部14の端面に固定ねじ31を介して固定される全体形状が略板状の固定本体部材30と、その開口部14側の表面を化粧する全体形状が略板状の化粧表面部材40と、この化粧表面部材40及び固定本体部材30の室内11側の端部を覆う全体形状が略四角筒状の室内側キャップ41とを備えている。そして、前記固定本体部材30は、その室内11側に位置して建物躯体15に当接する当接位置固定本体部50と、その室外12側に隣接して一体に形成されていると共に、建物躯体15側に向かって突出して、その突出長さを選択可能な当接位置選択機能部60とを備えている。
【００２８】
前記当接位置選択機能部60は、固定本体部材30から建物躯体15側に向かって突出する短尺状の短尺当接片61と、固定本体部材30から建物躯体15側に向かって突出するとともに、その突出長さを選択可能な突出長選択機能片62とを備えている。この突出長選択機能片62は、その先端が前記短尺当接片61よりも建物躯体15側に位置する状態と、その先端が短尺当接片61よりも反建物躯体15側に位置する状態とのいずれかを選択可能に形成されているものである。具体的には、この突出長選択機能片62は、常時は、短尺当接片61よりも反建物躯体側に位置するが、固定ねじ31に押されて回転することにより短尺当接片61よりも建物躯体15側に突出する回転機能片70からなるものである。
【００２９】
更に、具体的には、この回転機能片70は、固定本体部材30から建物躯体15側に向かって延びる延設部71と、この延設部71の先端から常時は横方向に延びて短尺当接片61よりも反建物躯体15側に位置する回転当接部72とを備えている。この回転当接部72は、その先端側を固定本体部材30からねじ込まれた締結部材に押し込まれることにより、延設部71の先端を回転中心として回転するとともに、短尺当接片61よりも建物躯体15側に突出可能に形成されている。なお、固定本体部材30の下面側であって、回転する前の回転当接部72の先端付近が配置されている箇所には、固定ねじ31をねじ込み易いように化粧枠20の長尺方向に沿ってＶ溝状の案内溝32が形成されている。
【００３０】
前記回転当接部72は、その延設部71側の角部に位置し、回転した状態において、短尺当接片61の側面に当接する短尺側当接部73と、回転当接部72の自由端側に位置し、回転した状態において、建物躯体15に当接する建物躯体側当接部74とを備えている。この建物躯体側当接部74と短尺側当接部73との面は、回転した状態において、それぞれ当接する面に隙間なく密着できるように、互いに直角になるように形成されている。
【００３１】
そして、図１及び図２に示すように、化粧枠20の建物躯体15側の取付位置が、建物躯体15の開口部14及びアルミサッシ枠13の一部であって、室内11側から室外12側に向かってアルミサッシ枠13の一部により段差が形成されているような状態の場合は、回転機能片70の回転当接部72は、回転させずに、延設部71の先端から横方向に延びた状態に設定されている。この場合、短尺当接片61の先端が、アルミサッシ枠13の表面に当接している。
【００３２】
一方、図３及び図４に示すように、化粧枠20の建物躯体15側の取付位置が、室内側調整材17及び室外側調整材18の表面であって、室内11側から室外12側に向かってフラットな状態の場合、案内溝32からねじ込まれた固定ねじ31により回転当接部72の先端側が建物躯体15側に向かって押し込まれ、回転当接部72は延設部71の先端側を回転中心として回転している。そして、回転当接部72の短尺側当接部73が短尺当接片61の側面に当接した位置において、回転当接部72が固定されている。そして、回転した回転当接部72の自由端側の建物躯体側当接部74が、室外側調整材18の表面に当接している。
【００３３】
前記固定本体部材30、化粧表面部材40及び室内側キャップ41からなる化粧枠20は、樹脂と微粒子の木粉とを主材とする組成物より形成されている。具体的には、化粧枠20は、セルロース系材料の微粉末の表面にこの微粉末よりも小径で、かつ硬い微粉末を担持させて作成した粉体を混合した樹脂を着色成形することによって木目模様を呈するように形成したものである。
【００３４】
なお、ここで、「セルロース系材料」とは、天然木材のほか、おがくず、稲藁、バガスなどを含むものである。また、「微粉末よりも小径でかつ固い微粉末」とは、酸化チタン、フェライト、アルミニウム、ニッケル、銀、セラミック、炭酸カルシウム等の微粉末をいうものである。また、「樹脂を着色」する材料とは、有色顔料であり、例えば酸化鉄、カドミウムイエロー、カーボンブラック等の無機顔料である。また、「樹脂を着色成形することによって木目模様を呈する」とは、上述した顔料を使用して、樹脂自体を着色しているため、表面のみではなく、内部にまで木目模様を呈するように形成しているものである。これにより、化粧枠20の表面が磨耗しても表面の木目模様が消えることがなく、良好な木目模様の外観を維持することができるものである。
【００３５】
次に、上記した実施の形態の作用及び効果について説明する。
本実施の形態によれば、突出長選択機能片62である回転機能片70は、その先端が短尺当接片61よりも建物躯体15側に位置する状態と、その先端が短尺当接片61よりも反建物躯体15に位置する状態とのいずれかを選択可能に形成されている。具体的には、本実施の形態は、突出長選択機能片62が、延設部71と回転当接部72とを備えている。そして、この回転当接部72が常時は、横方向に延びて短尺当接片61よりも反建物躯体15側に位置するが、締結部材に押し込まれて回転することにより短尺当接片61よりも建物躯体15側に突出可能に形成されている。このため、回転当接部72を回転させずに、横方向に延びた状態を維持すると、回転当接部72は短尺当接片61よりも反建物躯体側に位置し、化粧枠20を建物躯体15に取り付ける際、回転当接部72は建物躯体15に当接せずに、短尺当接片61が建物躯体15に当接することとなる。
【００３６】
一方、固定本体部材30から締結部材をねじ込んで、回転当接部72の先端側を建物躯体15側に向かって押し込むと、回転当接部72は延設部71の先端を回転中心として、回転するとともに、短尺当接片61よりも建物躯体15側に突出する。このため、化粧枠20を建物躯体15に取り付ける際、回転当接部72が建物躯体15に当接することとなる。
【００３７】
すなわち、回転当接部72の回転の有無により、当接位置選択機能部60の固定本体部材30からの建物躯体15側への突出する長さを二段階に選択することができる。これにより、当接位置固定本体部50が取り付けられる建物躯体15に対して、図１及び図２の場合と、図３及び図４の場合のように、室外側調整材18や、アルミサッシ枠13があることにより、当接位置選択機能部60が取り付けられる建物躯体15側の取付位置の形状が異なっていても、一つの共通の化粧枠20を使用して建物躯体15に取り付けることができる。
【００３８】
すなわち、図３及び図４に示すように、当接位置固定本体部50に面する建物躯体15と、当接位置選択機能部60に面する建物躯体15とが面一のフラットな位置にある場合と、図１及び図２に示すように、両者に段差が生じているような場合の形状が異なる二種類の建物躯体15に対して一つの共通の化粧枠20で対応することができる。これにより、一つの共通の化粧枠20を使用して形状が異なる取付位置に対応することができ、それぞれ専用の形状の化粧枠20を形成するような場合と比較して、化粧枠20の共通化及び化粧枠20の種類の低減を図ることができる。
【００３９】
また、一つの化粧枠20のみで対応することができるため、建物躯体15との間に隙間調整用のパッキン調整材等を使用する必要がなく、部品点数を少なくすることができる。また、パッキン調整材等の別部材を接着剤等で固定する必要も無いため、現場施工を容易にすることができる。
本実施の形態によれば、回転当接部72が、延設部71を回転中心として、締結部材に押し込まれて回転すると、所定の回転角度において、短尺側当接部73が短尺当接片61の側面に当接する。そして、さらに、回転当接部72が回転しようとしても、短尺側当接部73が短尺当接片61に当たってそれ以上、回転することはない。このため、かかる回転位置において回転当接部72が所定の角度だけ回転した状態を維持することができる。この状態において、回転当接部72の自由端側の建物躯体側当接部74の位置も固定されて、突出長さを所定の距離に固定することができる。また、短尺側当接部73と建物躯体側当接部74との面が互いに直角となるように設定され、さらに、短尺当接片61の側面と室外側調整材18の表面とが直角に設定されているため、短尺側当接部73及び短尺当接片61と、建物躯体側当接部74及び室外側調整材18とを隙間無く密着させて固定することができる。
【００４０】
本実施の形態は、化粧枠20に木粉が含まれているため、化粧枠20の表面を手で触った感触が、木質感のあるものとなり、樹脂や塩化ビニル等の表面のツルッとした感触がなく、手にしっくりとなじむ木質特有の暖かみのある良好な手触り感を得ることができる。
また、本実施の形態に係る化粧枠20は、上述したような材質からなるため、その表面に木目模様を出すことができる。また、木質材料では原料となる天然木材の違いや、含有水分の違い等による品質のバラツキが発生するが上述したような材質からなる化粧枠20ではそのようなことがなく、製品のバラツキを抑えることができる。すなわち、上述した材料を用いて成形した成形品は、複雑な断面形状をなしていても木目模様を呈するので、室内の他の表面部材に木質材、またはそれに変わる木質感のあるものを使用した場合に、外観デザインを調和させる意味で、使用するのに適している。換言すれば、天然の木材を切削加工したのでは手間がかかるような断面形状の部材であっても、木目模様を呈する成形品として提供することができる。
【００４１】
そして、「粉体を混合した樹脂」からなるため、通常の木質材料よりも水分を吸収し難く、仮に水分が付着しても水分を拭き取れば済み、メンテナンスを容易にすることができるものである。すなわち、手垢等の汚れがこの化粧枠20の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強い化粧枠20を提供できるものである。
【００４２】
次に、第二の実施の形態について説明する。
図５乃至図８は、本発明に係る第二の実施の形態であって、図５は長尺当接片が当接した状態の化粧枠構造の縦断面図、図６は長尺当接片が当接した状態の化粧枠構造の部分縦断面図、図７は長尺当接片を折り取っている状態の化粧枠構造の部部縦断面図、図８は短尺当接片が当接した状態の化粧枠構造の縦断面図をそれぞれ示すものである。
【００４３】
本実施の形態に係る化粧枠20の突出長選択機能片62は、短尺当接片61と平行に配置されて、建物躯体15側に向かって突出するとともに、当接位置固定本体部50と面一の位置に先端面を有する長尺当接片63からなるものである。そして、この長尺当接片63の基端側には、長尺当接片63を折り取り可能な折り取り溝64が形成されている。この折り取り溝64は、図７に示すように、ペンチ66により、短尺当接片61と長尺当接片63とを挟み込むようにして、長尺当接片63のみを折り取ることができるように形成されている。
【００４４】
そして、長尺当接片63と短尺当接片61との間には、その間隔が締結部材の直径よりも僅かに小さく設定されているとともに、締結部材である固定ねじ31を案内可能な締結部材案内部65が形成されている。
そして、図５及び図６に示すように、化粧枠20の建物躯体15側の取付位置が、開口部14の室内側調整材17及び室外側調整材18の表面であって、室内11側から室外12側に向かってフラットな状態の場合は、長尺当接片63を折り取らずに、長尺当接片63の先端が室外側調整材18の表面に当接するように形成されている。
【００４５】
そして、図８に示すように、化粧枠20の建物躯体15側の取付位置が、開口部14の室内側調整材17及びアルミサッシ枠13の一部により段差が形成されているような状態の場合は、長尺当接片63を折り取り溝64から折り取って、短尺当接片61の先端がアルミサッシ枠13の下面側に当接するように形成されている。
その他の構成は、第一の実施の形態と略同様であって、同一の構成には同一の部品番号を付与して説明を省略する。
【００４６】
次に、上記した実施の形態の作用及び効果について説明する。
本実施の形態によれば、突出長選択機能片62である長尺当接片63は、当接位置固定本体部50と面一の位置に先端面を有している。このため、図５及び図６に示すように、長尺当接片63は、そのままの状態で、室内側調整材17の表面と、室外側調整材18の表面とがフラットな平面状態にあるような場合に、当接位置固定本体部50と共に、フラットな建物躯体15の表面に当接することができ、かかる建物躯体15に取り付けることができる。
【００４７】
そして、長尺当接片63の基端側には、長尺当接片63を折り取り可能な折り取り溝64が形成されている。このため、図７に示すように、長尺当接片63を基端側の折り取り溝64から折り取ることができる。そして、図８に示すように、長尺当接片63を折り取ることにより、長尺当接片63の先端が短尺当接片61よりも反建物躯体15側に位置する状態となる。したがって、当接位置選択機能部60が面する室外側調整材18の表面において、その表面と当接するのは、最も建物躯体15に側に向かって突出している短尺当接片61となる。このように、当接位置選択機能部60において、建物躯体15側に向かって突出して当接する箇所を長尺当接片63と短尺当接片61とのいずれかに選択することができ、当接位置選択機能部60側の固定本体部材30からの建物躯体15側への突出する突出長さを二段階に選択することができる。これにより、取付位置の表面がフラットな状態にある場合（図５及び図６）と、アルミサッシ枠13の一部が開口部14側の向かって突出するような段差を形成している場合（図８）とのように形状が異なる二つの種類の建物躯体15に対して一つの共通の化粧枠20で対応することができ、化粧枠20の共通化及び化粧枠20の種類の低減を図ることができる。
【００４８】
本実施の形態によれば、長尺当接片63と短尺当接片61との間には、その間隔が締結部材の直径よりも僅かに小さく設定されているとともに、締結部材を案内する締結部材案内部65が形成されている。このため、締結部材案内部65に締結部材である固定ねじ31をねじ込むと、締結部材案内部65の左右の長尺当接片63及び短尺当接片61の間に挟まれて固定ねじ31が曲がることなく、締結部材案内部65の内部に沿って固定ねじ31をねじ込ませて進ませることができ、締結作業を容易にすることができる。また、締結部材案内部65の間隔が固定ねじ31の直径より僅かに小さいため、固定ねじ31は、左右の長尺当接片63及び短尺当接片61の表面の一部をねじ切りながら進むこととなる。これにより、締結作業において、固定ねじ31が左右にぶれることなく、確実にねじ込むことができるとともに、ねじ込んだ後も、長尺当接片63及び短尺当接片61の間に強固に挟み込まれて、固定ねじ31を確実かつ強固に固定することができ、固定ねじ31による固定の確実化を図ることができる。
【００４９】
【発明の効果】
本発明は、以上のように構成されているので、以下に記載されるような効果を奏する。
請求項１記載の発明によれば、部品点数の低減を図り、容易に施工することができる化粧枠構造を提供することができる。
【００５０】
請求項２記載の発明によれば、折り取り可能な突出長選択機能片を備えたことにより、簡単な構造で共通の部材を使用して、形状が異なる取付位置にも対応することができる化粧枠構造を提供することができる。
請求項３記載の発明によれば、締結部材をねじ込んで案内することができ、固定作業の容易化及び固定の確実化を図ることができる化粧枠構造を提供することができる。
【００５１】
請求項４記載の発明によれば、回転当接部を有する突出長選択機能片を備えたことにより、簡単な構造で共通の部材を使用して、形状が異なる取付位置にも対応することができる化粧枠構造を提供することができる。
請求項５記載の発明によれば、回転当接部を回転させた状態で、固定することができ、その突出長さを所定の距離に固定することができる化粧枠構造を提供することができる。
【図面の簡単な説明】
【図１】本発明に係る第一の実施の形態であって、回転機能片を回転させていない状態の化粧枠構造を示す縦断面図である。
【図２】本発明に係る第一の実施の形態であって、回転機能片を回転させていない状態の化粧枠構造を示す部分縦断面図である。
【図３】本発明に係る第一の実施の形態であって、回転機能片を回転させた状態の化粧枠構造を示す縦断面図である。
【図４】本発明に係る第一の実施の形態であって、回転機能片を回転させた状態の化粧枠構造を示す部分縦断面図である。
【図５】本発明に係る第二の実施の形態であって、長尺当接片が当接した状態の化粧枠構造を示す縦断面図である。
【図６】本発明に係る第二の実施の形態であって、長尺当接片が当接した状態の化粧枠構造を示す部分縦断面図である。
【図７】本発明に係る第二の実施の形態であって、長尺当接片を折り取っている状態の化粧枠構造を示す部部縦断面図である。
【図８】本発明に係る第二の実施の形態であって、短尺当接片が当接した状態の化粧枠構造を示す縦断面図である。
【図９】従来の化粧枠構造であって、窓枠上部にパッキン調整材を二つ重ねて使用した状態の化粧枠構造を示す縦断面図である。
【図１０】従来の化粧枠構造であって、窓枠上部にパッキン調整材を一つ使用した状態の化粧枠構造を示す縦断面図である。
【符号の説明】
10  窓枠                            11  室内
12  室外                            13  アルミサッシ枠
14  開口部                          15  建物躯体
16  壁パネル                        17  室内側調整材
18  室外側調整材                    19  化粧壁面部材
20  化粧枠                          30  固定本体部材
31  固定ねじ                        32  案内溝
40  化粧表面部材                    41  室内側キャップ
50  当接位置固定本体部              60  当接位置選択機能部
61  短尺当接片                      62  突出長選択機能片
63  長尺当接片                      64  折り取り溝
65  締結部材案内部                  66  ペンチ
70  回転機能片                      71  延設部
72  回転当接部                      73  短尺側当接部
74  建物躯体側当接部                110 窓枠
111 室内                           112  室外
113 アルミサッシ枠                 114  開口部
115 建物躯体                       120  化粧枠
130 固定本体部材                   131  当接位置固定本体部
140 化粧表面部材                   150  室内側キャップ
160 パッキン調整材                 170  固定ねじ
【図１】
0004061354.tif 000002
【図２】
0004061354.tif 000003
【図３】
0004061354.tif 000004
【図４】
0004061354.tif 000005
【図５】
0004061354.tif 000006
【図６】
0004061354.tif 000007
【図７】
0004061354.tif 000008
【図８】
0004061354.tif 000009
【図９】
0004061354.tif 000010
【図１０】
0004061354.tif 000011